(57)【要約】【課題】多数のレンズ保持具を支持棒に揺れることがないように着脱自在に取付けることが可能なレンズ保持装置を提供する。【解決手段】眼鏡レンズ保持用のアーム（第１〜第３のアーム１１〜１３）および突片２１を有するレンズ保持具５を備える。水平方向に延びる互いに平行な２本の支持棒（上部支持棒３、下部支持棒４）を備える。突片２１は、上部支持棒３に着脱自在かつ回動自在に係合する鉤状部２３と、下部支持棒４に係合する係合部２４とを備える。上部支持棒３と下部支持棒４には、鉤状部２３と係合部２４とが嵌入する凹部（小径部３ａ，４ａ）が多数形成される。前記アームは、鉤状部２３が上部支持棒３の凹部に嵌入して係合するとともに係合部２４が下部支持棒４の凹部に嵌入して係合する状態において、突片３３の下方に位置している。【選択図】  図１
2012093608.tif 000002
【特許請求の範囲】
【請求項１】
眼鏡レンズ保持用のアームおよび取付用の突片を有するレンズ保持具と、
水平方向に延びる互いに平行な２本の支持棒とを備え、
前記突片は、前記２本の支持棒のうちいずれか一方の支持棒に着脱自在かつ回動自在に係合する鉤状部と、
前記鉤状部が前記一方の支持棒に係合している状態でこの支持棒を中心にして前記突片を回すことにより他方の支持棒に係合する係合部とを備え、
前記両支持棒には、前記鉤状部と係合部とが嵌入する凹部がこれらの支持棒の長手方向に所定の間隔をおいて多数形成され、
前記アームは、前記鉤状部が一方の支持棒の前記凹部に嵌入して係合するとともに前記係合部が前記他方の支持棒の前記凹部に嵌入して係合する状態において、突片の下方に位置していることを特徴とするレンズ保持装置。
【請求項２】
請求項１記載のレンズ保持装置において、前記２本の支持棒は、上部支持棒と、この上部支持棒の下方に並べられた下部支持棒とから構成され、
前記鉤状部は、前記上部支持棒に上方から係合し、
前記係合部は、前記下部支持棒に側方から係合し、
前記アームは、前記係合部の下部に接続されていることを特徴とするレンズ保持装置。
【請求項３】
請求項１記載のレンズ保持装置において、前記２本の支持棒は、第１の支持棒と、この第１の支持棒の側方に並べられた第２の支持棒とから構成され、
前記鉤状部は、前記第１の支持棒に上方から係合し、
前記係合部は、前記第２の支持棒に下方から係合し、
前記アームは、前記鉤状部における前記係合部とは反対側に接続されていることを特徴とするレンズ保持装置。
【発明の詳細な説明】
【技術分野】
【０００１】
本発明は、多数の眼鏡レンズを立てた状態で吊り下げて保持するレンズ保持装置に関するものである。
【背景技術】
【０００２】
従来、眼鏡レンズにハードコート膜や反射防止膜などの膜を設けるためには、いわゆる浸漬法によって行われている。この浸漬法は、成膜用の塗布液が貯留された塗布液槽内に眼鏡レンズを浸漬させ、所定時間経過後に引き上げ、その後、眼鏡レンズを乾燥させることによって行われている。従来においては、多数の眼鏡レンズをレンズ保持装置に保持させた状態で前記浸漬工程と前記乾燥工程とが実施されている。
【０００３】
前記レンズ保持装置は、多数のレンズをレンズ面が水平方向を指向するように立てた状態で保持する構造が採られている。従来のこの種のラックとしては、例えば特許文献１に記載されているものがある。特許文献１に開示されたレンズ保持装置は、レンズを１枚ずつ上述したように立てた状態で保持するレンズ保持具と、このレンズ保持具を吊り下げるための水平な支持棒とを備えている。
【０００４】
前記レンズ保持具は、１枚のレンズを径方向の外側から挟んで保持する複数のアームと、前記支持棒に掛けられる鉤状の突片とによって構成されている。すなわち、特許文献１に示すレンズ保持装置は、１本の支持棒に多数のレンズ保持具を吊り下げることによって、多数のレンズを一度に搬送することができるものである。
【先行技術文献】
【特許文献】
【０００５】
【特許文献１】特開２００３−７１６５０号公報
【発明の概要】
【発明が解決しようとする課題】
【０００６】
しかしながら、特許文献１に開示されたレンズ保持装置では、塗布液槽から引き上げたレンズを次工程の装置に搬送するときに搬送速度を低くする必要があり、生産性を向上させるにも限界があった。搬送速度を低くしなければならない理由は、レンズ保持具が支持棒を中心にして揺れ易く、大きく揺れると、互いに隣接するレンズどうしが接触したり、レンズが隣接するレンズ保持具に接触してしまうからである。塗布液が塗布された状態でレンズが異物に接触してしまうと、そのレンズは不良品になる。このような不具合は、レンズ保持具を支持棒にたとえばボルトで固定することにより解消することができる。しかし、このようにすると、レンズ保持具の着脱作業に要する作業時間が著しく長くなり、生産性が低下することになる。
【０００７】
本発明はこのような問題を解消するためになされたもので、多数のレンズ保持具を支持棒に揺れることがないように着脱自在に取付けることが可能なレンズ保持装置を提供することを目的とする。
【課題を解決するための手段】
【０００８】
この目的を達成するために、本発明に係るレンズ保持装置は、眼鏡レンズ保持用のアームおよび取付用の突片を有するレンズ保持具と、水平方向に延びる互いに平行な２本の支持棒とを備え、前記突片は、前記２本の支持棒のうちいずれか一方の支持棒に着脱自在かつ回動自在に係合する鉤状部と、前記鉤状部が前記一方の支持棒に係合している状態でこの支持棒を中心にして前記突片を回すことにより他方の支持棒に係合する係合部とを備え、前記両支持棒には、前記鉤状部と係合部とが嵌入する凹部がこれらの支持棒の長手方向に所定の間隔をおいて多数形成され、前記アームは、前記鉤状部が一方の支持棒の前記凹部に嵌入して係合するとともに前記係合部が前記他方の支持棒の前記凹部に嵌入して係合する状態において、前記突片の下方に位置しているものである。
【０００９】
本発明は、上記発明において、前記２本の支持棒は、上部支持棒と、この上部支持棒の下方に並べられた下部支持棒とから構成され、前記鉤状部は、前記上部支持棒に上方から係合し、前記係合部は、前記下部支持棒に側方から係合し、前記アームは、前記係合部の下部に接続されているものである。
【００１０】
本発明は、上記発明において、前記支持棒は、第１の支持棒と、この第１の支持棒の側方に並べられた第２の支持棒とから構成され、前記鉤状部は、前記第１の支持棒に上方から係合し、前記係合部は、前記第２の支持棒に下方から係合し、前記アームは、前記鉤状部における前記係合部とは反対側に接続されているものである。
【発明の効果】
【００１１】
本発明によれば、鉤状部を一方の支持棒に係合させるとともに係合部を他方の支持棒に係合させることによって、レンズ保持具が支持棒に取付けられる。このようにレンズ保持具が支持棒に取付けられた状態においては、２本の支持棒によってレンズ保持具の揺動が規制される。また、支持棒の凹部に鉤状部と係合部とが嵌入しているから、支持棒の長手方向へのレンズ保持具の移動が規制される。
【００１２】
レンズ保持具を支持棒から外すためには、係合部と他方の支持棒との係合状態が解除されるように一方の支持棒を中心にして突片を回し、その後、鉤状部と一方の支持棒との係合状態を解除することによって行うことができる。すなわち、レンズ保持具を支持棒から取外すにあたって２段階の取外し動作が必要であるから、作業者が誤ってレンズ保持具を下方へ強く引いたり上方に押し上げたりしても、レンズ保持具が支持棒から外れてしまうことはない。このため、本発明に係るレンズ保持装置は、レンズ保持具の着脱が容易であるにもかかわらず、レンズ保持具を保持するうえで信頼性が高いものとなる。
【００１３】
したがって、本発明によれば、多数のレンズ保持具を２本の支持棒に対して簡単に着脱できるとともに、これらの支持棒に揺れることがないように２本の支持棒で確実に保持させることができる。この結果、本発明に係るレンズ保持装置を用いることによって、多数の眼鏡レンズをたとえば塗布液槽から引き上げた後に速く次工程の装置に搬送することが可能になり、眼鏡レンズを生産するうえで生産性を向上させることができる。
【図面の簡単な説明】
【００１４】
【図１】支持棒が上下方向に並ぶレンズ保持装置の構成を示す斜視図である。
【図２】レンズ保持具の側面図である。
【図３】取付用突片を示す図で、同図（Ａ）は側面図、同図（Ｂ）は正面図である。
【図４】レンズ保持具の取付時の手順を説明するための側面図で、同図（Ａ）は突片を上部支持棒に載せた状態を示し、同図（Ｂ）は鉤状部を上部支持棒に係合させた状態を示し、同図（Ｃ）は係止片を下部支持棒の小径部に嵌入させた状態を示し、同図（Ｄ）は係合部を下部支持棒に係合させた状態を示す。
【図５】支持棒の拡大して示す側面図である。
【図６】支持棒が水平方向に並ぶレンズ保持装置の構成を示す斜視図である。
【図７】レンズ保持具の側面図である。
【図８】取付用突片を示す図で、同図（Ａ）は側面図、同図（Ｂ）は正面図である。
【図９】レンズ保持具の取付時の手順を説明するための側面図で、同図（Ａ）は２本の支持棒の間に突片を挿入した状態を示し、同図（Ｂ）は鉤状部を第１の支持棒に係合させた状態を示し、同図（Ｃ）は係合部を第２の支持棒に係合させた状態を示している。
【発明を実施するための形態】
【００１５】
（第１の実施の形態）
以下、本発明に係るレンズ保持装置の一実施の形態を図１〜図５によって詳細に説明する。
図１に示すレンズ保持装置１は、多数の眼鏡レンズ２をそのレンズ面２ａが水平方向を指向しかつレンズ面２ａどうしが互いに対向する状態で保持するものである。このレンズ保持装置１は、眼鏡レンズ２を各種の製造装置（図示せず）に搬入、搬出したり、各種の装置の間で搬送するために用いられる。前記各種の製造装置としては、たとえば塗布液槽を有する塗布液塗布装置や、加熱炉などである。
【００１６】
このレンズ保持装置１は、図１に示すように、水平方向に延びる上部支持棒３および下部支持棒４と、これらの支持棒３，４に吊り下げられた多数のレンズ保持具５とを備えている。レンズ保持具５は、詳細は後述するが、眼鏡レンズ２を１枚ずつ保持できるように構成されている。
【００１７】
前記上部支持棒３および下部支持棒４は、上下方向に離間して互いに平行に延びる状態で一対の支持板６，７に支持されている。上部支持棒３と下部支持棒４は、前記両支持板６，７を貫通した状態でこれらの支持板６，７に固定されている。下部支持棒４は、この実施の形態においては、上部支持棒３の真下に所定の間隔をおいて離間するように並べて配置されている。
【００１８】
前記一対の支持板６，７は、この実施の形態においては、２本の連結用ロッド８，９の両端部にそれぞれ取付けられている。これらの連結用ロッド８，９は、レンズ保持装置１を搬送装置（図示せず）や各種の製造装置に装着するためにも用いられる。
前記上部支持棒３と前記下部支持棒４とは、それぞれ金属製の棒体によって形成されている。この棒体の断面形状は円形である。これらの支持棒３，４には、図５に示すように、それぞれ多数の小径部３ａ，４ａが支持棒３，４の長手方向に所定の間隔をおいて形成されている。各小径部３ａ，４ａは、上部支持棒３と下部支持棒４の他の部分（大径部３ｂ，４ｂ）より外径が小さい円柱状に形成されている。また、各小径部３ａ，４ａは、前記大径部３ｂ，４ｂと同一軸線上に位置付けられている。この実施の形態においては、前記小径部３ａ，４ａによって、本発明でいう「凹部」が構成されている。
【００１９】
前記レンズ保持具５は、図２に示すように、眼鏡レンズ２の外周部を第１〜第３のアーム１１〜１３で挟持する構造のものである。これらの第１〜第３のアーム１１〜１３は、各々の上端部が支持部材１４に接続されており、この支持部材１４に支持されている。前記第１〜第３のアーム１１〜１３のうち、図２において最も左側に位置する第１のアーム１１と、この第１のアーム１１に隣接する第２のアーム１２は、前記支持部材１４に固定されている。第１のアーム１１の下端部には、眼鏡レンズ２を下方から支承する支持片１５が設けられている。第２のアーム１２の下端部は、眼鏡レンズ２の外周面に斜め上方から接触するように形成されている。
【００２０】
第３のアーム１３は、前記支持部材１４に支軸１６を介して回動自在に支持されている。支軸１６の軸線方向は、眼鏡レンズ２のレンズ面２ａと直交するような方向を指向している。第３のアーム１３の下端部は、前記第２のアーム１２とは眼鏡レンズ２を挟んで反対側において、眼鏡レンズ２の外周面に斜め上方から接触するように形成されている。この第３のアーム１３は、前記支軸１６が貫通する捻りコイルばね１７によって、眼鏡レンズ２を押圧する方向に付勢されている。
【００２１】
また、第３のアーム１３の上端部には、前記捻りコイルばね１７のばね力に抗して第３のアーム１３を揺動させるために操作用レバー１８が設けられている。
この実施の形態によるレンズ保持具５においては、第３のアーム１３が捻りコイルばね１７のばね力で眼鏡レンズ２を押すことによって、眼鏡レンズ２が第１〜第３のアーム１１〜１３に挟まれ、立てられた状態で保持される。
【００２２】
前記支持部材１４には、取付用の突片２１が設けられている。この突片２１は、前記支持部材１４と一体に形成されている。この実施の形態による突片２１と支持部材１４とは、金属製の板によって形成されている。上述した上部支持棒３と下部支持棒４とに設けられている小径部３ａ，４ａの軸線方向の長さは、この突片２１の厚みより僅かに長くなるように形成されている。
【００２３】
前記突片２１は、図３に示すように、これらの図において上下方向に延びる基部２２と、この基部２２の上端部に設けられた鉤状部２３と、前記基部２２の下端部に設けられた係合部２４とによって構成されている。前記基部２２は、前記支持部材１４に一体に形成され、支持部材１４から上方に突出している。前記鉤状部２３は、前記上部支持棒３に接続するためのものであり、前記係合部２４は、前記下部支持棒４に接続するためのものである。
【００２４】
前記鉤状部２３は、図３（Ａ）に示すように、前記基部２２の上端部から水平方向に突出する横方向延在部２３ａと、この横方向延在部２３ａの先端から下方に延びる縦方向延在部２３ｂとによって側面視において鉤状に形成されている。前記横方向延在部２３ａが延びる水平方向は、図２に示すように、第１〜第３のアーム１１〜１３に保持された眼鏡レンズ２のレンズ面２ａと平行な水平方向である。この鉤状部２３と基部２２との間には、下方に向けて開放するＵ字状の溝２５が形成されている。この溝２５の溝幅Ａは、鉤状部２３が前記上部支持棒３の小径部３ａに嵌入できるように形成されている。すなわち、鉤状部２３は、前記小径部３ａに着脱自在かつ回動自在に係合するように形成されている。
【００２５】
前記係合部２４は、前記基部２２に水平方向に開放するように形成された切り欠き２２ａと、この切り欠き２２ａから水平方向に突出する係止片２６とによって構成されている。前記切り欠き２２ａは、前記鉤状部２３が上部支持棒３に係合している状態で下部支持棒４の小径部４ａを挿入できるように形成されている。
【００２６】
前記係止片２６は、金属製の細帯状のばね材料を所定の形状に曲げて形成されている。この細帯状の係止片２６の幅Ｂ｛図３参照｝は、係止片２６が前記下部支持棒４の小径部４ａに嵌入できるように形成されている。すなわち、前記両支持棒３，４の小径部３ａ，４ａは、前記鉤状部２３と前記係合部２４とが嵌入するように形成されている。
【００２７】
この係止片２６の一端部２６ａ｛図３（Ａ）において右側の端部｝は、前記切り欠き２２ａの縦壁面に沿う形状に形成されており、この縦壁面に溶接されている。また、係止片２６の他端部（先端部）には、図３（Ａ）に示すように、側面視において山形状を呈する係止部２６ｂと、この係止部２６ｂから斜めに延びる導入部２６ｃとが形成されている。前記係止部２６ｂは、下部支持棒４の小径部４ａに係止されるように形成されている。前記導入部２６ｃは、係止片２６の先端に向かうにしたがって漸次鉤状部２３に近接するように傾斜している。
【００２８】
このように形成された突片２１を有するレンズ保持具５を上部支持棒３と下部支持棒４とに取付けるためには、先ず、図４（Ａ）に示すように、前記鉤状部２３と前記係合部２４との間の部位を上部支持棒３の小径部３ａに斜め上方から挿入する。そして、同図(Ｂ）に示すように、前記突片２１を下げて鉤状部２３を小径部３ａに嵌入させる。次に、上部支持棒３を中心として突片２１を同図（Ｂ）において時計方向に回し、同図（Ｃ）に示すように、下部支持棒４の小径部４ａに係止片２６を嵌入させる。
【００２９】
このとき、係止片２６の導入部２６ｃが小径部４ａの周面に斜めに押し付けられることになり、この結果、係止片２６が同図において上側に弾性変形する。この状態で突片２１をさらに回すことによって、図４（Ｄ）に示すように、係止片２６の係止部２６ｂに小径部４ａが係入し、この小径部４ａと係合部２４とが係合状態になる。
このように鉤状部２３が上部支持棒３の小径部３ａに嵌入して係合するとともに、係合部２４が下部支持棒４の小径部４ａに嵌入して係合することによって、前記第１〜第３のアーム１１〜１３が突片２１の下方に位置するようになる。
【００３０】
レンズ保持具５を上部支持棒３と下部支持棒４とから取外すためには、先ず、前記係合部２４と下部支持棒４の小径部４ａとの係合状態が解除されるように、上部支持棒３を中心にして突片２１を回す。しかる後、突片２１を上方に持ち上げて鉤状部２３を上部支持棒３から取外すことによって、レンズ保持具５の取外し作業が完了する。
【００３１】
このように構成されたレンズ保持装置１においては、レンズ保持具５の突片２１が上部支持棒３と下部支持棒４とにそれぞれ嵌入した状態で係合しているから、これら２本の支持棒３，４によってレンズ保持具５の揺動、すなわちレンズ面２ａと平行な方向への揺動と、レンズ面２ａとは直交する方向への揺動とが規制される。また、上部支持棒３と下部支持棒４の小径部３ａ，４ａに鉤状部２３と係合部２４とが嵌入しているから、レンズ保持具５がこれら両支持棒３，４の長手方向に位置決めされ、この長手方向へのレンズ保持具５の移動が規制される。
【００３２】
レンズ保持具５を上部支持棒３、下部支持棒４から外すためには、上部支持棒３を中心にして突片２１を回す第１の取外し動作と、突片２１を上方に持ち上げる第２の取外し動作とからなる２段階の取外し動作が必要であるから、作業者が誤ってレンズ保持具５を下方へ強く引いたり上方に押し上げたりしても、レンズ保持具５が上部支持棒３や下部支持棒４から外れてしまうことはない。このため、この実施の形態によるレンズ保持装置１は、レンズ保持具５の着脱が容易であるにもかかわらず、レンズ保持具５を保持するうえで信頼性が高いものとなる。
【００３３】
したがって、この実施の形態によれば、多数のレンズ保持具５を２本の支持棒３，４に対して簡単に着脱できるとともに、これらの支持棒３，４に揺れることがないように２本の支持棒３，４で確実に保持させることができる。この結果、この実施の形態によるレンズ保持装置１を用いることによって、多数の眼鏡レンズ２をたとえば塗布液槽から引き上げた後に速く次工程の装置に搬送することが可能になり、眼鏡レンズ２を生産するうえで生産性を向上させることができる。
【００３４】
この実施の形態による前記鉤状部２３は、前記上部支持棒３に上方から係合し、前記係合部２４は、前記下部支持棒４に側方から係合している。前記第１〜第３のアーム１１〜１３は、前記係合部２４の下部に支持部材１４を介して接続されている。すなわち、この実施の形態によるレンズ保持具５は、鉤状部２３を上部支持棒３に斜め上方から係合させた状態で眼鏡レンズ側が揺動させることによって、係合部２４が下部支持棒４に係合するようになる。このため、この実施の形態によれば、レンズ保持具５を２本の支持棒３，４に単純な操作によって簡単に取付けることができるから、レンズ保持具５の着脱作業に要する時間が短くてよく、より一層の生産性の向上を図ることができる。
【００３５】
（第２の実施の形態）
レンズ保持具の突片は図６〜図９に示すように構成することができる。これらの図において、前記図１〜図５によって説明したものと同一もしくは同等の部材については、同一符号を付し詳細な説明を適宜省略する。
図６に示すレンズ保持装置１は、水平方向に延びる第１の支持棒３１および第２の支持棒３２と、これらの支持棒３１，３２に吊り下げられた多数のレンズ保持具５とを備えている。
【００３６】
前記第１の支持棒３１と第２の支持棒３２とは、水平方向に並ぶ状態で一対の支持板６，７に支持されている。また、第１の支持棒３１と第２の支持棒３２とは、同じ高さで所定の間隔をおいて互いに離間するように配置されている。すなわち、第２の支持棒３２は、第１の支持棒３１の側方に並べられている。これらの第１、第２の支持棒３１，３２には、多数の小径部３１ａ，３２ａが両支持棒３１，３２の長手方向に所定の間隔をおいて形成されている。これらの小径部３１ａ，３２ａは、円柱状に形成されているとともに、第１、第２の支持棒３１，３２の他の部分（大径部３１ｂ，３２ｂ）とは同一軸線上に位置するように形成されている。
【００３７】
この実施の形態に示すレンズ保持具５は、前記第１の実施の形態で示したレンズ保持具とは突片３３の構成が異なるだけであり、他の部分は同一となるように形成されている。この実施の形態による突片３３は、図７および図８に示すように、細帯状の金属製板材を曲げることによって所定の形状に形成されている。詳述すると、この突片３３は、前記支持部材１４に下端部が溶接された基部３４と、この基部３４の上端に設けられた鉤状部３５と、この鉤状部３５の先端に設けられた係合部３６とによって構成されている。
【００３８】
すなわち、この実施の形態によるレンズ保持具５は、第１の実施の形態で示したレンズ保持具５とは異なり、第１〜第３のアーム１１〜１３が前記鉤状部３５における前記係合部３６とは反対側に接続されている。
この実施の形態による突片３３の幅Ｃ｛図８（Ｂ）参照｝は、第１の支持棒３１と第２の支持棒３２の小径部３１ａ，３２ａに突片３３が嵌入できるように形成されている。
【００３９】
前記鉤状部３５と前記係合部３６とは、図８（Ａ）に示すように、細帯状の板材を前記小径部３１ａ，３２ａの外周面に沿うような曲率で互いに逆方向に屈曲させることによって形成されている。前記係合部３６は、前記鉤状部３５が第１の支持棒３１の小径部３１ａに上方から嵌入して係合している状態において、第２の支持棒３２の小径部３２ａに下方から嵌入して係合するように形成されている。また、鉤状部３５は、このように係合部３６が第２の支持棒３２の小径部３２ａに嵌入して係合する状態で基部３４が上下方向に延びるように形成されている。
【００４０】
このように形成された突片３３を有するレンズ保持具５を前記第１の支持棒３１と第２の支持棒３２とに取付けるためには、先ず、図９（Ａ）に示すように、突片３３の係合部３６を第１の支持棒３１と第２の支持棒３２との間に上方から挿入する。次に、同図（Ｂ）に示すように、突片３３を下げて鉤状部３５を第１の支持棒３１の小径部３１ａに嵌入させる。
【００４１】
その後、同図（Ｃ）に示すように、第１の支持棒３１を中心にして突片３３を同図において時計方向に回し、係合部３６を第２の支持棒３２の小径部３２ａに下方から嵌入させる。このように鉤状部３５が第１の支持棒３１に係合するとともに係合部３６が第２の支持棒３２に係合することによって、レンズ保持具５の第１、第２の支持棒３１，３２への取付作業が完了する。レンズ保持具５が第１、第２の支持棒３１，３２に取付けられた状態においては、第１〜第３のアーム１１〜１３が突片３３の下方に位置するようになる。
【００４２】
レンズ保持具５を第１、第２の支持棒３１，３２から取外すためには、先ず、前記係合部３６と第２の支持棒３２の小径部３２ａとの係合状態が解除されるように、第１の支持棒３１を中心にして突片３３を回す。しかる後、突片３３を上方に持ち上げて鉤状部３５を第１の支持棒３１から取外すことによって、レンズ保持具５の取外し作業が完了する。
【００４３】
このようにレンズ保持具５が第１、第２の支持棒３１，３２に支持された状態においては、鉤状部３５に眼鏡レンズ２の重量が作用することによって、係合部３６が第２の支持棒３２に押し付けられる方向に付勢される。また、レンズ保持具５を第１、第２の支持棒３１，３２から外すためには、第１の支持棒３１を中心にして突片３３を回す第１の取外し動作と、突片３３を上方に持ち上げる第２の取外し動作とからなる２段階の取外し動作が必要であるから、作業者が誤ってレンズ保持具５を下方へ強く引いたり上方に押し上げたりしても、レンズ保持具５が第１の支持棒３１や第２の支持棒３２から外れてしまうことはない。このため、この実施の形態によるレンズ保持装置１は、レンズ保持具５の着脱が容易であるにもかかわらず、レンズ保持具５を保持するうえで信頼性が高いものとなる。
したがって、この実施の形態によれば、眼鏡レンズ２の重量を巧みに利用して上記支持状態を維持できるから、レンズ保持具５を２本の支持棒３１，３２で確実に支持可能なレンズ保持装置１を提供することができる。
【符号の説明】
【００４４】
１…レンズ保持装置、３…上部支持棒、４…下部支持棒、３ａ，４ａ，３１ａ，３２ａ…小径部、５…レンズ保持具、１１…第１のアーム、１２…第２のアーム、１３…第３のアーム、１４…支持部材、２１，３３…突片、２３，３５…鉤状部、２４，３６…係合部、３１…第１の支持棒、３２…第２の支持棒。
【図１】
2012093608.tif 000003
【図２】
2012093608.tif 000004
【図３】
2012093608.tif 000005
【図４】
2012093608.tif 000006
【図５】
2012093608.tif 000007
【図６】
2012093608.tif 000008
【図７】
2012093608.tif 000009
【図８】
2012093608.tif 000010
【図９】
2012093608.tif 000011